【事件の表示】
　特願２０００−２９１８０３「情報処理装置及び情報処理装置の起動方法」拒絶査定不服審判事件〔平成１４年　４月　５日出願公開、特開２００２−　９９３６８〕について、次のとおり審決する。
【結　論】
　本件審判の請求は、成り立たない。
【理　由】
１．手続の経緯  
　本願は、平成１２年９月２６日に出願され、平成２１年９月１８日付けで拒絶理由通知がなされ、同年１２月７日付けで手続補正がなされるとともに意見書が提出されたが、平成２２年２月１７日付けで拒絶査定がされ、同年５月３１日に拒絶査定に対する審判請求がなされるとともに同日付けで手続補正がなされ、平成２３年７月２９日付けで拒絶理由通知がなされ、これに対して同年１０月３日付けで手続補正がなされるとともに意見書が提出されたものである。 
 　 
２．本願発明について  
　本願の請求項１に係る発明（以下、「本願発明」と言う。）は、平成２３年１０月３日付けの手続補正書における特許請求の範囲の請求項１に記載された以下のとおりのものである。 
 　 
「【請求項１】
　複数のデバイスの中から起動に用いるデバイスを選択可能な情報処理装置であって、
　文字を表示する第１のモードと、画像の表示が可能な第２のモードとの２つの動作モードを有し、前記情報処理装置の起動処理が実行される場合、前記第２のモードで起動画面に前記複数のデバイスのアイコンを表示する表示手段と、
　前記起動画面に表示される前記複数のデバイスのアイコンに基づいて、起動に用いるデバイスを設定する設定手段と、
　前記起動画面から起動に用いるデバイスの設定がされた場合には前記設定されたデバイスを用いて起動し、前記起動画面にて起動するデバイスの設定がされなかった場合には予め起動すると設定されているデバイスを用いて起動する起動手段と
を有することを特徴とする情報処理装置。」 
 　  
３．引用刊行物  
　先の拒絶の理由に引用された刊行物である”Ｆｒｅｅ　Ａｐｐｌｉｃａｔｉｏｎ　Ｓｈｏｗｃａｓｅ”、”グラフィカルなブートマネージャ　ＧＡＧ”、出井一、Ｌｉｎｕｘ　ｍａｇａｚｉｎｅ、株式会社アスキー、１９９９年１１月１日、第１巻、第２号、ｐ．１４２〜１４３（以下、「引用文献」と言う。）には、図面とともに、次の事項が記載されている。なお、下線は当審にて付与したものである。 
　 
（ａ）「●専用フロッピーの作成 
　ＧＡＧの本体は、フロッピーディスクイメージとして配布されているので、ハードディスクのＭＢＲにインストールする場合にも、いったん専用フロッピーを作成する必要がある。フォーマット済みのまっさらな２ＨＤフロッピーを１枚用意しよう。 
　ＷｉｎｄｏｗｓやＭＳ−ＤＯＳで専用フロッピーを作成する場合は、アーカイブに付属するＲＡＷＲＩＴＥ２．ＥＸＥを使用する。ＦＤＤがＡドライブだとすると、ＭＳ−ＤＯＳプロンプトのコマンドラインで、 
 Ｃ＞ＲＡＷＲＩＴＥ２　−Ｆ　ＧＡＧ．ＩＭＡ　−Ｄ　Ａ：　
 とすればいい（画面１）。一方、Ｌｉｎｕｘで作成する場合は、ｄｄコマンドを使う。
　ＦＤＤが／ｄｅｖ／ｆｄ０だとすると、ｋｔｅｒｍなどのコマンドラインで、 
＄　ｄｄ　ｉｆ＝ｇａｇ．ｉｍａ　ｏｆ＝／ｄｅｖ／ｆｄ０　ｂｓ＝５１２
ｃｏｕｎｔ＝２８００  
とする。 
　なお、これまでＭＢＲにｌｉｌｏをインストールしていた場合は、ＭＢＲにＧＡＧをインストールする前に、Ｌｉｎｕｘのパーティションのブートセクタにｌｉｌｏをインストールし直す必要がある。具体的には、ｌｉｌｏの設定ファイル（／ｅｔｃ／ｌｉｌｏ．ｃｏｎｆ）で「／ｂｏｏｔ＝／ｄｅｖ／ｈｄａ」などとハードディスク全体を指している部分を、「／ｂｏｏｔ＝／ｄｅｖ／ｈｄａ２」のように、Ｌｉｎｕｘをインストールしたパーティションを指すように変更する。必ず／ｓｂｉｎ／ｌｉｌｏを実行して、変更した設定をｌｉｌｏに反映させておこう。ＷｉｎｄｏｗｓＮＴやＯＳ／２などについては、ｒｅａｄｍｅ．ｔｘｔを参照されたい。」（第１４２ページ第１欄ないし第３欄） 
 　 
（ｂ）「●
ブートするＯＳの登録
　専用フロッピーをＦＤＤに入れたままパソコンを起動させると、ＧＡＧのメインメニュー画面が表示される（画面２）。初めて起動したときには、
ブートするＯＳの登録などを行う
ＯＳの登録や削除、専用フロッピーやハードディスクのＭＢＲへの書き込み
　まずは、Ａキーを押して
ブートするＯＳの登録を行う
１台目のハードディスクのパーティション一覧が表示されるので
目的のＯＳがインストールされているパーティションを英字キーで選ぶ
使用するアイコンを一覧（画面５）から選択すれば登録完了
　以上の手順をブートしたいＯＳの数だけ繰り返したら、セットアップメニュー画面でＦキーを押し、変更した設定をフロッピーに保存しよう。これで、専用フロッピーからＯＳを選択してブートできるようになる。なお、その他の設定を変更した場合も、Ｆキーでフロッピーに書き込まないかぎり有効にならないので注意されたい。」（第１４２ページ第３欄ないし第１４３ページ第１欄）　 
 　 
（ｃ）「●
ＭＢＲにインストール
　再度、専用フロッピーをブートさせると、
ＧＡＧのメインメニューに先ほど登録したＯＳの一覧が表示される
数字キーでそれぞれのＯＳを選択して、実際にブートするかどうか試してみよう
　ちゃんと各ＯＳがブートすることを確認できたら、ＧＡＧのセットアップメニューでＨキーを押し、
ハードディスクのＭＢＲにＧＡＧをインストールしよう
再起動し、ＧＡＧのメインメニューが表示されたらインストールは成功
　なお、
一定時間操作しない場合に、自動的に特定のＯＳをブートさせたい場合は、セットアップメニューでＢキーを押し、起動を待つ時間（秒単位）と、起動するＯＳの選択を行う
 　 
（ｄ）「●セーフブート機能とパスワード 
　設定ミスなどのためにＯＳをブートできない場合は、セットアップメニューを呼び出してＯＳの登録をやり直せばいい。しかし、ＭＢＲの一部が上書きされたとか、ディスクの読み込みエラーが起きたといった理由により、ＧＡＧ自体がエラーを表示して、途中で固まってしまうこともある。 
　もちろん、専用フロッピーを使ってブートし、再度ＧＡＧをＭＢＲにインストールすればすむ話だが、こうした場合に限ってなぜか専用フロッピーは見つからないもの。そこで、再起動後にＳｈｉｆｔキーを押したままにすると、直前に使っていたＯＳが自動的にブートされるという「セーフブート機能」が用意されている。ブートに成功したら、忘れずにＧＡＧの専用フロッピーを再度作成し、ＯＳの登録とＭＢＲへのインストールを行っておこう。 
　なお、セキュリティ保護の観点から、ＯＳごとにパスワードを設定している場合は、セーフブート機能は自動的に無効になる。この機能を利用すれば、パスワードの入力をスキップできてしまうからだ。ＯＳごとにパスワードを設定している人は、専用フロッピーの管理に気をつけよう。」（第１４３ページ第２欄及び第３欄） 
 　 
（ｅ）図面の説明には以下のとおり記載されている。 
「画面１　 
専用フロッピーをＷｉｎｄｏｗｓのＭＳ−ＤＯＳプロンプトで作成。 
画面２　 
初めて起動したときの画面。Ｓキーでセットアップしよう。 
画面３ 　 
セットアップメニューでは、ＯＳの登録や削除などを行える。 
画面４
ハードディスクのパーティション一覧からブートするＯＳを選択
画面５
各種ＯＳのアイコンが豊富に用意されている
画面６
登録したＯＳの一覧が表示される。数字キーで選択しよう。
 　 
（ｆ）画面４から、「ハードディスクのパーティション一覧」には、フロッピーディスクのドライブが含まれていることが明らかである。 
 　 
（ｇ）画面６には、登録された複数のＯＳのアイコンが画面に一覧表示されていることが明らかである。　
 　 
（ｈ）上記「ＭＢＲ」とは、Ｍａｓｔｅｒ　Ｂｏｏｔ　Ｒｅｃｏｒｄを指すことが明らかである。 
 　 
（ｉ）上記「ハードディスク」は、情報処理装置に備えられたものであることが明らかである。 
 　 
（ｊ）上記（ｃ）の記載及び画面６から、情報処理装置の起動時に、画面６のメインメニューが表示されることは明らかである。
　
　よって、引用文献には、次の発明（以下、「引用発明」と言う。）が開示されていると認められる。  
 　  
「情報処理装置の起動時に、フロッピーディスクやハードディスクのパーティションに対応する複数のＯＳのアイコンを画面に一覧表示し、数字キーでブートするＯＳを選択してブートをおこない、一定時間操作しない場合に、自動的に特定のＯＳをブートさせる情報処理装置。」 　  
　
４．対比 
　本願発明と引用発明とを対比する。 
　
　引用発明の「ブート」は、本願発明の「起動」に相当する。また、引用発明は、ＯＳのアイコンにより、起動に用いるパーティションを選択するものであると言えるから、引用発明の「パーティション」と本願発明の「デバイス」とは、起動に用いる対象物である点で共通し、さらに、引用発明と本願発明とは、「複数の対象物の中から起動に用いる対象物を選択可能な情報処理装置」である点で共通する。
　 
　引用発明は、画像データであるアイコンを画面に表示して、起動をおこなうものであるから、画像の表示が可能な動作モードを有し、該モードでアイコンを画面（本願の「起動画面」に相当する。）に表示していることが明らかである。また、引用発明の「情報処理装置の起動時」とは、本願発明の「情報処理装置の起動処理が実行される場合」に相当する。よって、引用発明と本願発明とは、「画像の表示が可能なモードである動作モードを有し、前記情報処理装置の起動処理が実行される場合、前記モードで、起動画面に、複数のアイコンを表示する表示手段」を有する点で共通する。 
　 　 
　引用発明は、パーティションに対応するＯＳのアイコンを選択することで、起動に用いるパーティションを選択するものと言える。そして、引用発明は、アイコンの選択によって、起動に用いる対象物を選択するものであると言える。また、この場合の「選択」とは、複数の選択肢から一つに決定することも含むと言えるから、本願発明の「設定」に相当する。したがって、本願発明と引用発明とは、「前記起動画面に表示される前記複数のアイコンに基づいて、起動に用いる対象物を設定する設定手段」を有する点で共通すると言える。
 　 
　引用発明は、起動するＯＳを選択した場合、対応するパーティションのＯＳで起動するものである。また、一定時間操作しない場合には特定のパーティションのＯＳで起動するものであるから、引用発明と本願発明とは「前記起動画面から起動に用いる対象物の設定がされた場合には前記設定された起動に用いる対象物を用いて起動し、前記起動画面にて起動に用いる対象物の設定がされなかった場合には予め起動すると設定されている起動に用いる対象物を用いて起動する起動手段」を有する点で共通すると言える。 
 　 
　よって、本願発明と引用発明とは、以下の点で一致し、また、相違する。
 　 
（一致点） 
「複数の対象物の中から起動に用いる対象物を選択可能な情報処理装置であって、 
　画像の表示が可能なモードである動作モードを有し、前記情報処理装置の起動処理が実行される場合、前記モードで、起動画面に、複数のアイコンを表示する表示手段と、
　前記起動画面に表示される前記複数のアイコンに基づいて、起動に用いる対象物を設定する設定手段と、
　前記起動画面から起動に用いる対象物の設定がされた場合には前記設定された起動に用いる対象物を用いて起動し、前記起動画面にて起動に用いる対象物の設定がされなかった場合には予め起動すると設定されている起動に用いる対象物を用いて起動する起動手段と、
　を有することを特徴とする情報処理装置。」 
 　 
（相違点１） 
　本願発明の表示手段が、文字を表示する第１のモードと、画像の表示が可能な第２のモードとの２つの動作モードを有し、前記情報処理装置の起動処理が実行される場合、前記第２のモードで起動画面にアイコンを表示するのに対して、　
　引用発明の表示手段は、画像の表示が可能なモードを備えるものの、文字を表示するモードを有するか否かが明確ではない点。
　
（相違点２） 
　本願発明においては、起動に用いる対象物が「デバイス」であり、起動画面に複数の「デバイス」のアイコンを表示し、複数の「デバイス」のアイコンに基づいて、起動に用いる「デバイス」を設定し、起動に用いる「デバイス」の設定がされた場合には前記設定された「デバイス」を用いて起動し、起動する「デバイス」の設定がされなかった場合、予め起動すると設定されている「デバイス」を用いて起動するのに対し、
　引用発明においては、起動に用いる対象物が「パーティション」であり、起動画面に複数の「ＯＳ」のアイコンを表示し、前記複数の「ＯＳ」のアイコンに基づいて、起動に用いる「パーティション」を設定し、起動に用いる「パーティション」の設定がされた場合には前記設定された「パーティション」を用いて起動し、起動する「パーティション」の設定がされなかった場合、予め起動すると設定されている「パーティション」を用いて起動する」するものであり、換言すれば、各動作が「デバイス」を対象としているか否かが明確ではない点。
　
５．当審の判断 　 
　上記相違点について検討する。 
　
（ａ）相違点１について 　 
　情報処理装置が、画像の表示が可能な第２のモードに加え、文字を表示する第１のモードを備えることは技術常識であるから、引用発明において、文字を表示する第１のモードと、画像の表示が可能な第２のモードとの２つの動作モードを有し、前記情報処理装置の起動処理が実行される場合、前記第２のモードで起動画面にアイコンを表示するように構成することは当業者が適宜なし得るものである。                        
　
（ｂ）相違点２について
　起動の際に、デバイスを対象として選択し、選択されたデバイスを用いて、デバイスを起動することは本願出願日前に周知の技術（＜１＞”パーソナルコンピュータ  ＦＭ−１６β  ファームウェアモジュール解説書  初版”，”８５ＢＭ−００４０−１”，富士通株式会社，１９８５年４月３０日，第１版，ｐ．７−９、特に第７ページの「ブートストラップロードの対象となるブートデバイスを選択して起動することができます」の記載及び同ページのブート装置（デバイス）の選択を説明する図において、ハードディスク、１ＭＢ　フロッピディスク、バブルメモリが選択可能である点、＜２＞”ＵＰ４８００シリーズ  Ｎ４５００−５５、５６、５７／７８、７９  ＵＰ４８００／７７０、７７０ＡＤ  基本処理装置取扱説明書”，”ＷＵＢ４５−２”，日本電気株式会社，１９９６年１２月３１日，第２版，ｐ．６５−６９，特に第６８ページの「０〜７のエントリで示されるブートデバイスからＩＰＬを行えます」の記載及び同ページのフローチャートにおける「ブートデバイス（０〜７）を選択する」の記載を参照。）である。したがって、引用発明において、起動に用いる対象物を「デバイス」とし、起動画面に複数の「デバイス」のアイコンを表示し、複数の「デバイス」のアイコンに基づいて、起動に用いる「デバイス」を設定し、起動に用いる「デバイス」の設定がされた場合には前記設定された「デバイス」を用いて起動し、起動する「デバイス」の設定がされなかった場合、予め起動すると設定されている「デバイス」を用いて起動するよう構成することで、上記相違点２に係る本願発明の構成とすることは当業者が容易になし得ることである。
　
　そして、本願発明が奏する効果は、当業者が引用発明及び周知技術から予測できる範囲内のものである。 
　
６．むすび
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく、拒絶すべきものである。
　よって、結論のとおり審決する。